(57)【要約】【課題】放電管とＬＥＤ照明とを併用するときに、ＬＥＤ照明のための配線の変更・追加を簡便に行う。【解決手段】放電管２の安定器２０と、安定器に配線ケーブルを介して電気的に接続され放電管２のランプピン２ａを挿入するソケット電極を有するランプソケット１０と、安定器２０から放電管２へ供給される電力からＬＥＤを点灯させる電力に変成する絶縁トランスＴｒを有する、絶縁トランスＴｒが配線ケーブル４に電気的に接続されたＬＥＤ駆動ユニット１２とを備える。【選択図】図５
2009129800.tif 000002
【特許請求の範囲】
【請求項１】
放電管の安定器と、
該安定器に配線ケーブルを介して電気的に接続された前記放電管のランプピンに接触するソケット電極を有するランプソケットと、
前記安定器から前記放電管へ供給される電力からＬＥＤを点灯させる電力を変成する絶縁トランスを有する、該絶縁トランスが前記配線ケーブルに電気的に接続された前記ＬＥＤ駆動ユニットと
を備えたことを特徴とする照明システム。
【請求項２】
前記ＬＥＤ駆動ユニットが、前記ランプソケットに取り付けられたものであり、前記ソケット電極を介して前記配線ケーブルに電気的に接続されているものであることを特徴とする請求項１記載の照明システム。
【請求項３】
前記ランプソケットが、前記ソケット電極に隣接し接触することにより電気的に接続された筒状の第１接続端子を有するものであり、
前記ＬＥＤ駆動ユニットが、前記第１接続端子に挿入することにより電気的に接続されるピン状の第２接続端子を有するものであって、前記ランプソケットに対し着脱可能に取り付けられるものであることを特徴とする請求項２記載の照明システム。
【請求項４】
前記ＬＥＤ駆動ユニットが前記ＬＥＤを着脱可能に取り付けるためのＬＥＤコネクタを備えたものであることを特徴とする請求項１から３のいずれか１項記載の照明システム。
【請求項５】
前記ランプソケットを支持するための支持パイプをさらに有し、
前記配線ケーブルが前記支持パイプ内に収容されており、前記ＬＥＤ駆動ユニットが前記支持パイプ内に設けられていることを特徴とする請求項１から４のいずれか１項記載の照明システム。
【請求項６】
前記ＬＥＤ駆動ユニットが前記ＬＥＤに１Ｗ以下の電力を供給するものであることを特徴とする請求項１から５のいずれか１項記載の照明システム。
【発明の詳細な説明】
【技術分野】
【０００１】
本発明は、放電管の安定器を用いてＬＥＤと放電管との双方を点灯させる照明システムに関するものである。
【背景技術】
【０００２】
百貨店、スーパー、専門店等においては商品展示販売用陳列棚、ガラス製陳列ケース等の什器が広く使用されている。特に、貴金属類等の商品は商品姿が小さく高価なため特に小型小容積のガラス陳列ケースが多く使用されている。図１に示すように宝石類などの貴金属は煌めきを重視しハロゲンランプ等のスポット照明器具を遠くから照射しケース内には光源を置かない照明手法が好んで使用されている。現在、蛍光灯を棚照明として使用する場合は２０φ以下の細型蛍光灯が好んで使用され安定器としても２０ｋＨｚ以上の高周波インバータが多く使用されている。
【０００３】
これらの商品照明に関して、光源である蛍光灯や電子安定器、蛍光灯ソケット、配線等何れも照明を行う為に要する機器部材は占有体積を最小限とし光だけを効率良く得る要求が極めて強い。この為、木製の棚照明においては棚板の厚さ方向で棚板下部をくりぬいて仕上げ、この中に器具の場合は器具を独立安定器の場合はランプ、安定器、ソケット等を納める手法が一般的に取られている。電源は各棚と直角に配置され壁に埋め込まれた細型レールコンセントとこれに合致させた小型プラグにより各棚毎に最短で電源を得られるので電源配線による美観の阻害は少ない。
【０００４】
展示用ガラスケースの場合は周囲３６０度と上方から商品を見るようになっているので、照明器具やソケット付き反射カバーは最小限の部材をケース内に設置し、その他の安定器、配線等はケース外の見えない場所に設置する場合が多い。ガラスケース内のむき出しの配線は美観を損なうので細い金属パイプに配線を納め、ランプや反射カバーの支持を兼ねた器具が多い。この様に小型のガラスケースになればなるほどその仕上げ法は難しく最低限の電線を限定して使用することになる。このため、安定器とソケット間の管灯回路配線が長くなり、あるいは誘導で光量が減少しもしくはチラツキ等不安定点灯となり易く苦慮している場合もよく見られる。さらに美観重視のため難しい什器組み立てとなり、内部光源をセットした後、ランプ交換が極めて難しい等の問題を含む什器となる場合もある。
【０００５】
貴金属陳列ケースを例にすると展示商品は極めて小さく高価な物が多い。商品の性格から煌めきを重視した照明が多く希望される。今まではお客の上方向又は横後方の天井や壁から大型のハロゲン電球で照射するケース照明が多い。これはハロゲンランプが赤外線を多く含み温度上昇から狭いガラスケース内には設置出来ないため距離が離れている分大型の光源を要するからである。
【０００６】
ところで、近年、開発・実用化されたＬＥＤスポット器具は小型で省エネ、発熱が少ない長寿命等の特長を有する。蛍光灯や冷陰極ランプ用高周波安定器の一部より電力を得てＬＥＤを点灯させて使用することが提案されている（たとえば特許文献１参照）。特許文献１において、蛍光灯の近傍に複数のＬＥＤが配置されており、電源や高周波トランスの一部から高周波電力を取りだしてＬＥＤを点灯させる回路が開示されている。
【特許文献１】特開２００３−２６４０９０号公報
【発明の開示】
【発明が解決しようとする課題】
【０００７】
上述したガラスケース内の照明として従来のハロゲンランプ等に代えて、特許文献１に示すような蛍光灯とＬＥＤとを併用した照明システムを採用することが考えられる。ただし、特許文献１において、ＬＥＤは蛍光灯の補助照明として照明器具の中に混在させた構成を有し、一定の場所に固定された状態で使用する場合には適用することができる。しかし、ガラスケース内の商品のスポット照明としてＬＥＤを用いる場合、商品の配置および数に合わせてＬＥＤの設置位置を変更する必要がある。したがって、特許文献１のような管灯回路をガラスケース内の照明として用いた場合、ＬＥＤ照明の配置の自由が制限されてしまうという問題がある。一方、予めＬＥＤ配線を長くしてＬＥＤ照明の配置自由度を向上させたときには配線長が延びることにより誘電ノイズの発生等により点灯が不安定になるもしくは蛍光灯の寿命が短くなるといった問題が生じる。
【０００８】
そこで、本発明は、放電管の安定器から供給される電力を用いて放電管とＬＥＤとの双方を点灯させるときに、ＬＥＤ照明の配置位置の変更および追加を簡便に行うことができる照明システムを提供することを目的とするものである。
【課題を解決するための手段】
【０００９】
本発明の照明システムは、放電管の安定器と、安定器に配線ケーブルを介して電気的に接続された放電管のランプピンに接触するソケット電極を有するランプソケットと、安定器から放電管へ供給される電力からＬＥＤを点灯させる電力に変成する絶縁トランスを有する、絶縁トランスが配線ケーブルに電気的に接続されたＬＥＤ駆動ユニットとを備えたことを特徴とするものである。
【００１０】
ここで、放電管は、蛍光灯であってもよいし冷陰極線管であってもよい。
【００１１】
また、ＬＥＤ駆動ユニットは１つ設けられていてもよいし、安定器の容量を考慮して複数設けられていてもよい。
【００１２】
なお、ＬＥＤ駆動ユニットは、配線ケーブルに接続されたものであればその構成を問わず、たとえば配線ケーブルに直接接続されたものであってもよいし、ランプソケットに取り付けられ、ランプ挿入孔を介して配線ケーブルに接続されているものであってもよい。このとき、ＬＥＤ駆動ユニットは、ランプソケットと一体的に形成されていてもよいし、着脱可能に取り付けられたものであってもよい。ＬＥＤ駆動ユニットがランプソケットに対し着脱可能であるとき、ランプソケットは、ソケット電極に隣接し接触することにより電気的に接続された筒状の第１接続端子を有するものであってもよい。また、ＬＥＤ駆動ユニットは、第１接続端子に挿入することにより電気的に接続されるピン状の第２接続端子とを有するものであってもよい。なお、ランプソケットとＬＥＤ駆動ユニットとが一体的に設けられている場合には、上記接続端子による接続に限らずＬＥＤ駆動ユニットがソケット電極に電気的に接続されていればよい。
【００１３】
また、ＬＥＤ駆動ユニットは、ＬＥＤを駆動する駆動電力を生成するものであればＬＥＤとの接続形態は問わず、たとえばＬＥＤが固定されたものであってもよいし、ＬＥＤを着脱するためのＬＥＤコネクタを有するものであってもよい。
【００１４】
さらに、照明システムは、ランプソケットを支持するための支持パイプをさらに有し、配線ケーブルが支持パイプ内に収容されていても良い。このとき、ＬＥＤ駆動ユニットは支持パイプ内に設けられたものであってもよい。
【００１５】
なお、ＬＥＤ駆動ユニットは、安定器の容量を考慮しＬＥＤに１Ｗ以下の電力を供給するものであることを望ましい。
【発明の効果】
【００１６】
本発明の照明システムによれば、放電管の安定器と、安定器に配線ケーブルを介して電気的に接続された放電管のランプピンに接触するソケット電極を有するランプソケットと、安定器から放電管へ供給される電力からＬＥＤを点灯させる電力に変成する絶縁トランスを有する、絶縁トランスが配線ケーブルに電気的に接続されたＬＥＤ駆動ユニットとを備えたことにより、ＬＥＤの設置場所に合わせてＬＥＤ駆動ユニットを設置することができるため、安定器からＬＥＤ点灯のための電力を給電する場合であってもＬＥＤの配置位置の変更および設置数の増減を簡便に行うことができる。
【００１７】
なお、ＬＥＤ駆動ユニットがランプソケットに取り付けられており、ランプ挿入孔を介して配線ケーブルに接続されているとき、放電管に近接した位置からＬＥＤによる照明を行うときに、安定器からＬＥＤ配線を伸ばす必要がなくランプソケットからＬＥＤ駆動電力を取得することができるため、ＬＥＤ配線処理作業を省きＬＥＤ照明の設置を効率的に行うことができる。
【００１８】
また、ランプソケットが、ソケット電極に隣接し接触することにより電気的に接続された筒状の第１接続端子を有するものであり、ＬＥＤ駆動ユニットが、第１接続端子に挿入することにより電気的に接続されるピン状の第２接続端子を有するものであって、ランプソケットに対し着脱可能に取り付けられるものであるとき、ＬＥＤ駆動ユニットの着脱によってＬＥＤ照明の追加・削除を容易に行うことができる。
【００１９】
さらに、ランプソケットを支持するための支持パイプをさらに有し、配線ケーブルが支持パイプ内に収容されており、おり、ＬＥＤ駆動ユニットが支持パイプ内に設けられたものであれば、たとえば陳列棚上にスタンド型のＬＥＤスポット照明等を容易に増設することができる。
【００２０】
また、ＬＥＤ駆動ユニットがＬＥＤに１Ｗ以下の電力を供給するものであれば、放電管に供給される電力の一部をＬＥＤの点灯に用いることによる安定器および放電管への影響を最小限に抑えることができる。
【発明の実施の形態】
【００２１】
図１は本発明の照明システムの好ましい実施形態を示す模式図、図２は照明システムの側面図であり、図１を参照して照明システム１について説明する。図１の照明システム１はたとえばガラスケースＧＣ内に展示された商品に対し放電管２による全体照明とＬＥＤ３によるスポット照明を行うものである。照明システム１は、支持パイプ４ａによりガラスケースＧＣの上部一端側に固定されており、放電管２が反射カバー２Ｘ内に収容されている。放電管２はたとえば蛍光灯（熱陰極線管）からなり、両端においてランプソケット１０により支持されている。またＬＥＤ３はたとえばガラスケースＧＣの上面に固定されており、ＬＥＤケーブル３ａを介してＬＥＤ駆動ユニット１２に接続されている。
【００２２】
ガラスケースＧＣの裏面には放電管２を点灯させるための安定器２０が配置されており、安定器２０には商用電源が電気的に接続されている。また、安定器２０と放電管２とはガラスケースＧＣの側端部に沿って支持パイプ４ａに収容された配線ケーブル４により電気的に接続されている。なお、安定器２０としてはインバータ方式等の放電管２の点灯に用いられる公知の回路を用いることができる。
【００２３】
図３は安定器２０と放電管２との接続譲歩歌示す模式図である。図３において、放電管２はランプソケット１０の一面側１０Ｘに着脱可能に取り付けられている。また、安定器２０は配線ケーブル４を介してランプソケット１０に接続されている。よって、安定器２０と放電管２とは配線ケーブル４およびランプソケット１０を介して電気的に接続されることになる。また、ランプソケット１０の背面にはＬＥＤ駆動ユニット１２が取り付けられている。
【００２４】
図４は本発明のランプソケットの好ましい実施形態を示す外観模式図、図５はランプソケット１０およびＬＥＤ駆動ユニット１２の一例を示す分解斜視図である。ランプソケット１０は、ソケット本体１０Ａ、ソケット電極１１、第１接続端子１４ａを有している。ソケット本体１０Ａは、放電管２の径より太くランプピン２ａがソケット電極１１から少し抜けても絶縁を確保しながら放電管２を保持するための透明なプラスチックからなるスカート状のカバー部材１０ｐと、たとえば２０φ×１２ｍｍの略円形状の部材１０ｑとが一体的に形成されたものである。円形状の部材１０ｑ内には２つのソケット電極１１が収容されており、各ソケット電極１１は円形状の部材１０ｑに固定された陰極用および陽極用の２本の配線ケーブル４ａ（図５において図示せず）にそれぞれ接続されている。
【００２５】
ソケット電極１１はたとえば筒状に形成されており、ソケット本体１０Ａの一面側１０Ｘから放電管２が差し込まれたときに、２本のランプピン２ａがそれぞれソケット電極１１に挿入され接触することにより、放電管２と安定器２０とが電気的に接続され放電管２に駆動電力が供給される。なお、ランプピン２ａのピン間隔、太さ、長さは規格化されており、ソケット電極１１はランプピン２ａに合った間隔、太さ、長さを有している。特に、ソケット電極１１の長さはランプピン２ａの長さに合わせて極力短くなるように形成されている。
【００２６】
また、ソケット本体１０Ａ内にはソケット電極１１に電気的に接続された２つの第１接続端子１４ａが収容されている。具体的には、各第１接続端子１４ａはたとえばピンを挿入するための筒状の金属製の部材からなっており、ソケット本体１０Ａ内のソケット電極１１に対し略平行であって異なる軸上（たとえばソケット電極１１の内径側）にそれぞれ配置されている。そして、各第１接続端子１４ａはソケット電極１１に対し隣接し接触することにより電気的に接続されている。このように、ソケット電極１１と第１接続端子１４ａとを隣接して配置することにより、ランプソケット１０の小径化を図ることができる。
【００２７】
ＬＥＤ駆動ユニット１２は、ユニット本体１２Ａ、ＬＥＤ駆動回路１２Ｂ、第２接続端子１４ｂを備えている。ユニット本体１２Ａは、ソケット本体１０ａの外形よりもひとまわり大きい円筒状のプラスチックガードからなるものであり、ソケット本体１０Ａの他面側１０Ｙに着脱可能に取り付けられる。ＬＥＤ駆動回路１２Ｂはユニット本体１２Ａ内に収容されており、安定器２０から放電管２へ供給される電力からＬＥＤ３を点灯させる電力を変成する絶縁トランスＴｒを有するものである。
【００２８】
ＬＥＤ駆動回路１２Ｂには第１接続端子１４ａに電気的に接続される第２接続端子１４ｂが取り付けられている。具体的には、第２接続端子１４ｂは金属製の挿入ピンからなっており、第２接続端子１４ｂが第１接続端子１４ａに挿入されることにより、第１接続端子１４ａと第２接続端子１４ｂが接触し電気的に接続するとともに、ＬＥＤ駆動ユニット１２がランプソケット１０に対し着脱可能に取り付けられる。
【００２９】
また、ＬＥＤ駆動ユニット１２にはＬＥＤコネクタ１３が設けられており、ＬＥＤ駆動ユニット１３はユニット本体１２Ａの外面に形成されている。そして、ＬＥＤコネクタ１３にはＬＥＤ３に接続されたＬＥＤケーブル３ａが着脱可能に取り付けられることになる。なお、ＬＥＤケーブル３ａは１０Ｖ，３５０ｍＡに適合した配線からなっている。また、ＬＥＤコネクタ１３にはＬＥＤケーブル３ａを介さずに直接ＬＥＤ３が装着されるものであってもよい。
【００３０】
さらに、ＬＥＤ３を使用しないときにはＬＥＤ駆動ユニット１２を取り外して放電管２のみで使用することができ、ＬＥＤ駆動ユニット１２とＬＥＤ３は別途保管できる。このように、ＬＥＤ駆動ユニットの着脱によってＬＥＤ照明の追加・削除を容易に行うことができる。
【００３１】
図６は図４および図５に示すランプソケット１０の一例を示す回路図である。図６において、ＬＥＤ駆動ユニット１２は、絶縁トランスＴｒ、直流カットコンデンサＣ２、整流ダイオードＤ１、平滑コンデンサＣ１、定電流回路等を備えている。絶縁トランスＴｒは、１次側コイルＮｓ１に安定器２０から高電圧が供給されたとき、２次側コイルＮｐ２側に目的の電圧値に変成して出力するものである。なお、絶縁トランスＴｒとしてリーケージタイプの絶縁トランスとすれば更に安全性が高められる。
【００３２】
また、たとえば１対のランプソケット１０にそれぞれ取り付けた２つのＬＥＤ駆動ユニット１２は左右各１ｗ程度の電力をＬＥＤ３に供給する。なお、安定器２０の蛍光灯安定器容量と蛍光灯寿命とを考慮し最大１ｗのＬＥＤを双方併せて２個までとしている。このとき、長さの短い蛍光灯では安定器電力も余力が出てくるのでＬＥＤ個数を増やすことも可能である。
【００３３】
このように、ＬＥＤ駆動ユニット１２を配線ケーブル４ａに接続して安定器２０から供給される電力を用いてＬＥＤ３を点灯させることにより、ＬＥＤ３の設置場所に合わせてＬＥＤ駆動ユニット１２を設置することができるため、安定器２０からＬＥＤ点灯のための電力を給電する場合であってもＬＥＤの配置位置の変更および設置数の増減を簡便に行うことができる。
【００３４】
すなわち、従来のように、安定器２０からＬＥＤ３の点灯電力を供給する際、予めＬＥＤ配線を長くしてＬＥＤ照明の配置自由度を向上させた場合には配線長が延びることにより誘電ノイズの発生等により点灯が不安定になるもしくは蛍光灯の寿命が短くなるといった問題が生じるとともに、高電圧からの分岐、さらに蛍光灯の寿命を大きく左右する蛍光灯フィラメント予熱回路からＬＥＤ電力給電や他の負荷を使用し電源を乱しランプ短寿命の危険性を高くする等の悪影響が生じる。
【００３５】
そこで、図６に示すように、ＬＥＤ駆動ユニット１２を安定器２０とは別体で構成するとともに、絶縁トランスＴｒを用いて放電管２を点灯させる為の高電圧から絶縁された状態でＬＥＤ３にＬＥＤ電源が供給されるようにする。これにより、安定器２０からＬＥＤ点灯のための電力を給電する場合であってもＬＥＤの配置位置の変更および設置数の増減を簡便に行うことができる。
【００３６】
さらに、ＬＥＤ駆動ユニット１２は安定器２０とランプソケット１０とを結ぶ配線ケーブル４に接続すればよいため、安定器２０とＬＥＤ駆動ユニット１２とを直接結ぶ配線や、安定器２０とＬＥＤ３と直接結ぶ配線が不要になる。配線数を少なくすることができることによって、店舗照明や什器照明、ガラスショーケース照明、ショーウィンド照明等において、配線による美観が損なわれるのを防止することができる。
【００３７】
また、ＬＥＤ駆動ユニットの点灯および着脱状態によらず、放電管２はフィラメント電力変動の少ない安定器２０からの電力を取得することができるため、ＬＥＤ駆動ユニット１２の着脱により放電管２の寿命が短くなるのを防止することができる。なお、ＬＥＤ３は１Ｗ以下に限定することが好ましい。
【００３８】
特に、ＬＥＤ３に供給する電力を１０Ｖ、０．３５Ａ以下の低電圧少電流にしたとき、絶縁トランスＴｒの大きさを小さくすることができる。このため、ＬＥＤ駆動ユニット１２を概ね２０φｘ３０ｍｍ以下の容積で納めることができる。また、消費電力が小さいためにＬＥＤケーブル３ａは機械的に許す極細の配線で済むため、ＬＥＤケーブル３ａによる美観を損なうことを防ぐことができる。
【００３９】
さらに、ガラスケースＧＣのような周囲がガラスなどで作られた美観重視の什器照明においては、配線数が限られるとともに、配線を収納するとともに反射カバー２Ｘ等を支持する極細の支持パイプを使用するような限られた配線条件になる。このような条件下においてＬＥＤ３によるスポット照明の位置を変更しもしくは追加するときに、安定器２０からＬＥＤ３までの配線を短くしもしくはなくすことができるため美観的に優れた什器照明を実現することができる。
【００４０】
なお、図６においては放電管２として蛍光灯を用いた場合について例示しているが、図７に示すように放電管１０２として冷陰極線管を用いた照明システム１００であってもよい。このとき、冷陰極ランプは蛍光灯より更に細いランプ外形となり反射カバーも細くこのことより更に美観を良好にすることができる。また、冷陰極ランプとＬＥＤは少電流で済むので細い配線が可能となり、それに伴い配線ケーブル４を内蔵する支持パイプ４ａの径を細くすることができる。さらに、冷陰極ランプと白色ＬＥＤの組み合わせでは双方が持つ長寿命光源としての特長を利用し、美観重視でランプ交換メンテナンスの極めて難しい什器用へも設置可能な長寿命照明システムが実現することができる。なお、冷陰極線管の場合であっても、それぞれ陰極用と陽極用の２本の配線ケーブル４ａが各ランプソケット１０に接続される（図７の左側のＬＥＤ駆動ユニット１２）。そして、ランプソケット１０内において冷陰極線管にはいずれか一方の電極が接続され、ＬＥＤ駆動ユニット１２には２つの電極が電気的に接続される。
【００４１】
図８は本発明の照明システムの別の実施形態を示す模式図である。なお、図８において図１と同一の構成を有する部位には同一の符号を付してその説明を省略する。図８の照明システム２００が図１の照明システム１と異なる点は、支持パイプ４ａにＬＥＤ駆動ユニット２１０が接続されている点である。
【００４２】
ＬＥＤ駆動ユニット２１０は、支持パイプ４ａの途中に収納されており支持パイプ４ａと一体化されている。そして、ＬＥＤ駆動ユニット２１０に設けられたコネクタ１３にたとえばスタンド型のＬＥＤ３が接続されることになる。
【００４３】
このように、ＬＥＤ駆動ユニット２１０の設置場所の自由度が向上させることにより、ＬＥＤ３を点灯させるための配線長を短くすることができ、配線長を長くすることによる悪影響を最小限に抑えることができる。さらに、配線長を短くすることにより美観的に優れた照明が可能となる。さらに、ＬＥＤ回路ブロックから小型コネクタによりＬＥＤ駆動ユニット１２を外部へ取り出し近接したＬＥＤ３０に給電しガラスケースＧＣ内の商品と近接した場所からの照明も可能となる。なお、ＬＥＤ駆動ユニット２１０は図７の右側のＬＥＤ駆動ユニット１２のように配線ケーブル４ａに接続されることになる。
【００４４】
上記各実施の形態によれば、放電管２の安定器２０と、安定器２０に配線ケーブル４を介して電気的に接続された放電管２のランプピン２ａに接触するソケット電極１１を有するランプソケット１０と、安定器２０から放電管２へ供給される電力からＬＥＤ３を点灯させる電力に変成する絶縁トランスＴｒを有する、絶縁トランスＴｒが配線ケーブル４に電気的に接続されたＬＥＤ駆動ユニット１２とを備えたことにより、ＬＥＤの設置場所に合わせてＬＥＤ駆動ユニット１２を設置することができるため、安定器２０からＬＥＤ点灯のための電力を給電する場合であってもＬＥＤ３の配置位置の変更および設置数の増減を簡便に行うことができる。
【００４５】
なお、ＬＥＤ駆動ユニット１２がランプソケット１０に取り付けられており、ランプ挿入孔を介して配線ケーブル４に接続されているとき、放電管２に近接した位置からＬＥＤ３による照明を行うときに、安定器２０からＬＥＤ配線を伸ばす必要がなくランプソケット１０からＬＥＤ駆動電力を取得することができるため、ＬＥＤ配線処理作業を省きＬＥＤ照明の設置を効率的に行うことができる。
【００４６】
また、ランプソケット１０が、ソケット電極１１に電気的に接続された第１接続端子１４ａを有するものであり、ＬＥＤ駆動ユニット１２が、第１接続端子１４ａに電気的に接続される第２接続端子１４ｂを有するものであって、ランプソケット１０に対し着脱可能に取り付けられるとき、ＬＥＤ駆動ユニット１２の着脱によってＬＥＤ照明の追加・削除を容易に行うことができる。
【００４７】
さらに、ランプソケット１０を支持するための支持パイプ４ａをさらに有し、配線ケーブル４が支持パイプ４ａ内に収容されているものであり、ＬＥＤ駆動ユニットが支持パイプ４ａ内に設けられているものであれば、たとえば陳列棚上にスタンド型のＬＥＤスポット照明等を容易に増設することができる。
【００４８】
また、ＬＥＤ駆動ユニットがＬＥＤに１Ｗ以下の電力を供給するものであれば、放電管２に供給される電力の一部をＬＥＤ３の点灯に用いることによる安定器２０および放電管２への影響を最小限に抑えることができる。
【００４９】
本発明の実施形態は上記実施の形態に限定されない。たとえば図３および図４においてランプソケット１０とＬＥＤ駆動ユニット１２とが着脱可能に取り付けられている場合について例示しているが、ランプソケット１０とＬＥＤ駆動ユニット１２とが一体成形された１つの部材からなるものであってもよい。
【００５０】
さらに、上記実施の形態において、蛍光灯ソケットの背にＬＥＤ回路ブロックを接続して使用する方式を説明したが、ＬＥＤ駆動ユニット１２が小型であるとき、放電管２の支持パイプ４ａの台座内等にも収納でき、違和感なくコンパクトに実装可能で、配線も含めこれら全体を一体とすれば更に綺麗な仕上がりの照明システムを提供することができる。
【図面の簡単な説明】
【００５１】
【図１】本発明の照明システムの好ましい実施形態を示す模式図
【図２】図１の照明システムの設置例を示す模式図
【図３】安定器とランプソケット間の配線の一例を示す模式図
【図４】ランプソケット周辺の一例を示す模式図
【図５】図４のランプソケットの構造を示す模式図
【図６】図４のランプソケットに内蔵されたＬＥＤ駆動ユニットの一例を示す回路図
【図７】本発明の照明システムの別の実施形態を示す模式図
【図８】本発明の照明システムに適用される放電管が冷放電管であるときの回路図
【符号の説明】
【００５２】
１、１００    照明システム
２    放電管
２ａ  ランプピン
２Ｘ   反射カバー
３ａ   スポットケーブル
３     スポット照明
３     ＬＥＤ
３ａ   ＬＥＤケーブル
４    配線ケーブル
４ａ   支持パイプ
１０  ランプソケット
１１  ソケット電極
１２、１１２  ＬＥＤ駆動ユニット
１３   ＬＥＤコネクタ
１４ａ 第１接続端子
１４ｂ 第２接続端子
２０   安定器
ＧＣ   ガラスケース
ＧＣ１ 陳列棚
Ｔｒ  絶縁トランス
【図１】
2009129800.tif 000003
【図２】
2009129800.tif 000004
【図３】
2009129800.tif 000005
【図４】
2009129800.tif 000006
【図５】
2009129800.tif 000007
【図６】
2009129800.tif 000008
【図７】
2009129800.tif 000009
【図８】
2009129800.tif 000010